(57)【要約】共通のアドレス指定電極に並列で連結された他の集積回路のアドレスの中から自分のアドレスを認識し、そのアドレスに伝送される輝度データを記録し、そして、その表示要素の輝度を受信したデータに従って変調させることのできる電子集積回路（１２）を、各要素に設置することを特徴とする、個別要素（１１）で構成された表示装置。
2006502430.tif 000002
【特許請求の範囲】
【請求項１】
共通のアドレス指定電極に並列で連結された他の集積回路のアドレスの中から自分のアドレスを認識し、そのアドレスに伝送される輝度データを記録し、そして、その表示要素の輝度を受信したデータに従って変調させることのできる電子集積回路（１２）を、各要素に設置することを特徴とする、個別要素（１１）で構成された表示装置。
【請求項２】
画像の要素となる色点によって、表示要素および集積回路を具備することを特徴とする、請求項１に記載の装置。
【請求項３】
各集積回路が、一つまたは複数のアドレス上で、その画像に隣接する複数の色点または要素点を管理することを特徴とする、請求項１に記載の装置。
【請求項４】
個別のアドレスを、集積回路の製造段階で該集積回路に記録しておき、表示スクリーンを組み立てている間も該アドレスが可視性を保つことにより、そのようなアドレスを光学的に読み取れるようにすることを特徴とする、請求項１〜請求項３のいずれか一つに記載の装置。
【請求項５】
個別のアドレスを、表示スクリーンを組み立てている間に、その集積回路の非揮発性のメモリ区域に電気的に登録しておくことを特徴とする、請求項１〜請求項４のいずれか一つに記載の装置。
【請求項６】
表示スクリーンを幾つものアドレス指定区域にセグメント分割して、該区域をそれぞれ独立に、且つ同時に操作することによって、アドレス指定信号の周波数を減少させるようにすることを特徴とする、請求項１〜請求項５のいずれか一つに記載の装置。
【請求項７】
各集積回路は、一つまたは複数の表示要素を、それらが隣接しているかいないかを問わず、その個別のアドレスの他にも、しかも前もって定めた順序で記録することができ、そして、そのように記録されたアドレスのうちの一つが伝送されていることを検出すると、続けざまに、しかもアドレスを新しくすることなしに伝送される輝度の情報の数を差し引くことができ、そして、そのような差引を行った後で、該集積回路に向けられた情報を搭載することができることを特徴とする、請求項１〜請求項６のいずれか一つに記載の装置。
【請求項８】
対応する表示要素の近傍のスクリーンにユーザーが触れたり、あるいは押したりしたことを集積回路が検出できるようにする手段と、その情報を、アドレス指定と電力供給の共通電極上に、その個別アドレス付きで再送信する手段とを、該集積回路に装備することを特徴とする、請求項１〜請求項７のいずれか一つに記載の装置。
【請求項９】
電流の局部的測定値に応じて、または、そのアドレス指定システムが伝送する補正係数に応じて、集積回路がその表示要素の変調を補正することができるようにする手段を、該集積回路に装備することを特徴とする、請求項１〜請求項８のいずれか一つに記載の装置。
【請求項１０】
集積回路が、前もって定めた幾つかの全体的アドレスを認識し、その際には、前もって定めた態様で試験することができるようにする手段を、該集積回路に装備することを特徴とする、請求項１〜請求項９のいずれか一つに記載の装置。
【発明の詳細な説明】
【技術分野】
【０００１】
本発明が対象とする個別の要素を持つディスプレイ・システムは、各要素に配置されたアドレスが一つしかない超小型集積回路を用いて、各イメージポイント別にアドレス指定できるようになっている。
【０００２】
本発明は、平面表示スクリーンの分野に関するものである。従来、そのようなスクリーンは、行をなす導体ネットワークと列をなす導体ネットワークとにより、行列として組織されアドレス指定された画素またはピクセルの集合からなるものである。
【発明の開示】
【０００３】
本発明の対象によって、行と列をなす、そのような二つの伝導体ネットワークは省かれ、各表示要素、例えば各ピクセルの各色点に超小型集積回路を一つ付けて、該超小型集積回路にアドレスが一つしかないようにしている。そのような集積回路を共通のアドレス指定電極で並列に連結し、該アドレス指定電極は、有利には伝導性の平面の形態をとり、複数の要素に電気を供給する。
【０００４】
それゆえ本発明は、個別の要素からなる表示装置に関するものであり、該個別の要素に、電子素子および論理回路を内蔵した集積回路を各要素上に設置しており、それにより、以下を行うことができる。
・非揮発的手段により、恒常的な、または再プログラム可能なアドレスを記録すること。例えば３２ビットからなるアドレスを選ぶこと。
・共通のアドレス指定及び電気供給電極に並列で連結された他の表示要素の他の集積回路の電極でそのような電極に伝送された信号で、そのアドレスを認識すること。
・例えば８ビットのバイナリーワードの形でそのアドレスに伝送される輝度のデータを、一時的に記録すること。
・受信したデータに従ってその表示要素の輝度を、例えばその要素のターミナル電圧を変化させることにより、あるいは、そのアドレス指定システムから受信した電力パルスの中から、その要素に伝送されることになるパルスを選びだすことにより、変化させること。
・例えばダイオード装置兼コンデンサにより、その論理回路に必要となる連続的な電気供給を生み出すこと。
【０００５】
本発明の実施態様の一つでは、表示要素一つと集積回路一つを、その画像の要素となる色点によって配置している。
【０００６】
もう一つ他の態様では、各集積回路が、一つまたは複数のアドレス上で、その画像に隣接する複数の色点または要素点を管理する。
【０００７】
有利には、個別のアドレスを、集積回路の製造段階で該集積回路に記録しておいて、表示スクリーンを組み立てている間もそのアドレスが可視性を保つことにより、そのようなアドレスを光学的に読み取れるようにしておけばよい。
【０００８】
好適には、表示スクリーンを組み立てる間に、その集積回路の非揮発性のメモリ区域に個別のアドレスを電気的に登録しておく。
【０００９】
数ある実施態様の一つには、表示スクリーンを幾つものアドレス指定区域にセグメント分割して、該区域をそれぞれ独立に、且つ同時に操作することによって、アドレス指定信号の周波数を減少させるようにする。
【００１０】
有利には、該集積回路が以下のことを行うことができるような装置を取り付けることもできる。
・ある数の他の要素のアドレスを、個別のアドレスの他にも、しかも前もって定めた順序で記録し、そうすることにより、所定の間隔で伝送される輝度のデータに、そのような他のアドレスのうちの一つを伝送する役割を負わせて、その固有のアドレスを伝送しないですませること。そのように記録されたアドレスのうちの一つが伝送されていることを検出すると、続けざまに、しかもアドレスを新しくすることなしに伝送される輝度情報の数を差し引くことができ、そして、そのような差引を行った後で、該集積回路に向けられている情報を搭載することができるようになっていなければならない。そのようにして、複数の輝度情報に続いてアドレスを伝送することができるのであり、そしてそれゆえに、アドレス指定電極上のデータフローを相当に減らすことができる。表示要素の再統合は恣意的であってもよいが、データ処理が簡単になるように選ぶことになる。
・スクリーン上の触感接触を認識して、それからその情報を、そのアドレス付きで、アドレス指定システムに送り直すこと。接触の検出は、様々な方法でなされることが可能であり、例えば、集積回路に取り付けた固定接点が一本の電極に機械的に接触することによる方法、または、ユーザーがスクリーンを押さえることにより接近を誘発し、該集積回路の、一本の電極への機械的接近を電気容量で検出することによる方法である。
・例えば表示要素を通過する電流の局部的測定値に応じて、またはアドレス指定システムが伝送する係数に応じて、その表示要素の変調を補正すること。
・前もって定めた幾つかの全体的アドレスを認識して、その際には、例えばその要素が最大限の輝度で点灯を開始するというような、前もって定めた態様で試験すること。
【発明を実施するための最良の形態】
【００１１】
以下の望ましい実施態様に付随する説明を読むことにより、本発明はよりよく理解され、また、本発明のその他の目的、利点、および特徴は、より明瞭に理解されることになる。そのような実施態様は、それらに限定するという趣旨ではなく、その説明には以下のような図面一通りを添付して示されている。図１〜図６は、本発明の表示要素を概略的に示したものである。
【００１２】
図１は、本発明の一つの実施態様であり、二本の電極１３付きの表示要素１１を集積回路１２に連結し、該集積回路それ自体を二本のアドレス指定共通電極１４に連結する。
【００１３】
図２は、本発明の一つの実施態様であり、表示要素２１、例えば電界放出ブラウン管は、三本の電極、例えばエミッター２３、蛍光物質付き陽極２５、および制御グリッド２４を具備する。この特異な態様では、多数の要素２１の陽極２５をまとめて共通電極２７に連結し、エミッターを共通アース２８に、同様に集積回路にも連結し、その一方で、輝度の変調は電極２４を集積回路で操作して行う。それゆえ、この場合は、共通電極が三本ある。
【００１４】
図３は、もう一つ他の実施態様を示すものであり、電極二本付きの表示要素３１を、二本の共通電極３３、３４の間に集積回路３２と直列に取り付けている。
【００１５】
図４は、もう一つ他の実施態様を示すものであり、表示要素４１に備えられた変圧器は、場合によっては接続部４５で連結された一次回路４４および二次回路４３からなっている。集積回路４２を、該集積回路が操作する一次回路と直列に取り付けている。
【００１６】
図５は、図４と類似の変圧器を用いた、もう一つ他の実施態様であり、この場合、表示要素５１は放電管か、あるいは、電界放出ブラウン管であり、一次回路５３を集積回路５２と電力供給専用の共通電極５６とに連結し、アドレス指定をもう一本の電極５７および共通アース５５で行う。
【００１７】
図６に示すのは、もう一つ他の可能な実施態様であり、それによると、各集積回路６４は複数の表示要素、例えば、同一のピクセルの三つの基本色点６１、６２、６３を制御するものである。その場合、集積回路が、複数のアドレスを含むこと、あるいは、そのアドレスの後で、該集積回路が制御する様々な要素に対応する一群の情報を受信することが可能である。
【００１８】
図１、３、４あるいは６に示したような直列接続は、アドレス指定システムの中に幾つかの装置があること、そして、アドレスと輝度のデータを伝送する機能を、周波数は高くて電力レベルは低い状態で、そしてその輝度を変調させる機能を、周波数は低くて電力レベルはより高い状態で、例えば一時的に分割することのできる集積回路を想定している。そのアドレス指定電極上に、アドレス指定信号の変調に電力を供給する電圧を連続して付加することが可能であり、その集積回路は信号の分割を行う。
【００１９】
図２または図５に示すような接続は、電力供給用とアドレス指定用とに分割された電極を有しており、該接続によって集積回路が単純になっているが、少なくとも三本の共通電極が必要である。
【００２０】
本発明により、表示要素で一つの超小型集積回路を設置することは、多くの利点をもたらすのであるが、その一部を以下に説明する。
・個別にアドレス指定することで、マトリクス・スクリーンの従来の製造におけるような、行と列のネットワークを実現する必要がなくなる。本発明によると、集積回路を共通電極上で並列に連結する。
【００２１】
そのような共通電極は、アドレス指定および電力供給に役立つこととなる。
・個別にアドレス指定を行うことにより、表示スクリーンを、所望のどのような形にもすることができ、しかも、従来の行と列によるアドレス指定では避けることのできない従来通りの長方形の構造にも制約されることがない。
・一つのスクリーンを、更に小さい、任意の形状のモジュールに切り分けることが可能になる。そのようにして、標準的な大きさのスクリーンを製造することを想定することができ、該スクリーンをつぎに、望み通りの更に小さなスクリーンに切り分けることになる。
・スクリーンの一つの区域に不備があると、それを修理することも可能になる。
・例えば放出電流を局部的に測定して、一つの集積電圧基準との比較により補正したり、あるいは、検定段階に際して、各要素の特徴を外側から測定し、その均一性を改善するのに必要な補正係数を計算して、各集積回路にそのような補正係数を送ることにより、各集積回路は、各発光要素ごとの輝度差を補正することができる。
・表示要素の点灯の変調を集積回路により局部的に管理し、その際に、行−列アドレス指定システムで可能なものより遥かに大きいデューティサイクルでその要素を作動させることができる。その大きなデューティサイクルにより、フリッカを避けることができ、特に、瞬間的な輝度をより小さくして動作することができ、したがって、とりわけ電界放出と蛍光物質の付いたスクリーンでは、発光効率を高めて作動することができる。
【００２２】
様々な構成要素の位置決めをすることで、今日までのところ類似の装置では得られたことがない最大限の有効性を、本発明の対象に与えることができる。
【００２３】
各集積回路は、その集積回路の個別のアドレスの他にも、しかも前もって定めた順序で、一つまたは複数の表示要素のアドレスを、隣接しているかどうかに係わらず、記録することができ、そのようにして記録されたアドレスのうちの一つが伝送されていることを検出すると、続けざまに、しかもアドレスを新しくすることなしに伝送される輝度情報の数を差し引くことができ、そして、そのような差し引きを行った後で、該集積回路に向けられている情報を搭載することができるようになる。
【００２４】
更に集積回路が、対応する表示要素の近傍のスクリーンにユーザーが触れたり、あるいは押したりしたことを検出できる手段を該集積回路が備えると、その集積回路は、その情報を、アドレス指定と電力供給の共通電極上に、その個別のアドレス付きで再送信する手段を備えることになる。
【図面の簡単な説明】
【００２５】
【図１】本発明の表示要素の概略図
【図２】本発明の表示要素の概略図
【図３】本発明の表示要素の概略図
【図４】本発明の表示要素の概略図
【図５】本発明の表示要素の概略図
【図６】本発明の表示要素の概略図
【符号の説明】
【００２６】
１１  表示要素
１２  集積回路
１３  電極
１４  アドレス指定共通電極
２１  表示要素
２３  エミッター
２４  制御グリッド
２５  陽極
２７  共通電極
３１  表示装置
３２  集積回路
３３  電極
３４  電極
４１  表示装置
４２  集積回路
４３  二次回路
４４  一次回路
４５  接合部
５１  表示要素
５２  集積回路
５３  一次回路
５５  共通アース
５６  共通電極
５７  電極
６１  基本色点
６２  基本色点
６３  基本色点
６４  集積回路
【図１】
2006502430.tif 000003
【図２】
2006502430.tif 000004
【図３】
2006502430.tif 000005
【図４】
2006502430.tif 000006
【図５】
2006502430.tif 000007
【図６】
2006502430.tif 000008
【国際調査報告】
2006502430.tif 000009
2006502430.tif 000010
2006502430.tif 000011
2006502430.tif 000012
2006502430.tif 000013
2006502430.tif 000014